(57)【要約】【課題】ユーザに応じた言語に簡単に切り替えることのできる画像プリント装置等を提供する。【解決手段】画像プリント装置２は、ユーザを撮影する撮影部１０１、ユーザ端末５からサーバ３に送信された画像をサーバ３から受信する受信部１０２、ユーザを撮影した画像とサーバ３から受信した画像をプリントするプリント部１０３、ユーザが用いる言語を示す言語情報をユーザ端末５から取得する言語情報取得部１０５、言語情報取得部１０５により取得した言語情報に応じて画像プリント装置２で使用する言語を設定する言語設定部１０６と、を備える。【選択図】図８
2019184970.tif 000002
【特許請求の範囲】
【請求項１】
画像をプリントする画像プリント装置であって、
サーバから画像を受信する受信部と、
前記サーバから受信した画像をプリントするプリント部と、
ユーザが用いる言語を示す言語情報をユーザ端末または前記サーバから取得する言語情報取得部と、
前記言語情報取得部により取得した言語情報に応じて前記画像プリント装置で使用する言語を設定する言語設定部と、
を備えることを特徴とする画像プリント装置。
【請求項２】
前記言語設定部は、前記画像プリント装置で表示する画面で使用される言語を、前記言語情報に応じて設定することを特徴とする請求項１記載の画像プリント装置。
【請求項３】
前記画像プリント装置は、
前記サーバから受信する画像に対応する注文識別情報を含むコードを前記ユーザ端末から読取って前記注文識別情報を取得する注文識別情報取得部と、
ユーザを撮影する撮影部と、
を更に有し、
前記プリント部は、ユーザを撮影した画像のプリントを更に行い、
前記画像プリント装置は、前記ユーザ端末からの前記コードの読取に応じて、前記サーバから前記注文識別情報に対応する画像を受信してプリントすることを特徴とする請求項１または請求項２記載の画像プリント装置。
【請求項４】
前記コードには前記言語情報が含まれ、
前記言語情報取得部は、前記コードを前記ユーザ端末から読取って前記言語情報を取得することを特徴とする請求項３に記載の画像プリント装置。
【請求項５】
前記言語情報取得部は、前記サーバから前記注文識別情報に対応する画像を受信する際に、前記注文識別情報に対応する前記言語情報を前記サーバから受信して取得することを特徴とする請求項３に記載の画像プリント装置。
【請求項６】
請求項１から請求項５のいずれかに記載の画像プリント装置と、
前記サーバと、
前記ユーザ端末と、
を有し、
前記ユーザ端末は前記サーバに画像を送信することを特徴とする画像プリントシステム。
【発明の詳細な説明】
【技術分野】
【０００１】
本発明は、多言語に対応した画像プリント装置、および画像プリントシステムに関する。
【背景技術】
【０００２】
スマートフォン等の記憶部に格納されたユーザの画像を街頭のプリント装置でプリントする画像プリントサービスは種々存在し、コンビニエンスストアや家電量販店等に設置されている画像プリント装置でプリントを行うことが可能である。
【０００３】
また特許文献１には、カメラ付き通信装置(携帯電話)からサーバに送信された画像データを証明写真の撮影ボックスでダウンロードしてプリントできるプリントシステムが記載されている。
【０００４】
このような証明写真の撮影ボックスには、多言語に対応したものがある。例えば撮影ボックスで表示するトップ画面に言語選択ボタンが設けられており、ユーザが言語の選択を行うことで、その後に表示される各種の画面の言語を選択された言語とする。
【先行技術文献】
【特許文献】
【０００５】
【特許文献１】特開2004−240737号公報
【発明の概要】
【発明が解決しようとする課題】
【０００６】
証明写真の撮影ボックスでは、ユーザの滞在時間を減らし回転率を上げる等の目的から、できるだけ少ない操作で簡単に画像をプリントできるようにすることが求められる。多言語対応の撮影ボックスにおいてはユーザに応じた言語に切り替える処理が必須であるが、このような処理についても同様である。
【０００７】
本発明は上記の問題に鑑みてなされたものであり、ユーザに応じた言語に簡単に切り替えることのできる画像プリント装置等を提供することを目的とする。
【課題を解決するための手段】
【０００８】
前述した課題を解決するための第１の発明は、画像をプリントする画像プリント装置であって、サーバから画像を受信する受信部と、前記サーバから受信した画像をプリントするプリント部と、ユーザが用いる言語を示す言語情報をユーザ端末または前記サーバから取得する言語情報取得部と、前記言語情報取得部により取得した言語情報に応じて前記画像プリント装置で使用する言語を設定する言語設定部と、を備えることを特徴とする画像プリント装置である。
【０００９】
本発明の画像プリント装置は、サーバからユーザの画像を受信してプリントするにあたり、ユーザの用いる言語を示す言語情報をユーザ端末やサーバから取得することで、ユーザに応じた言語を自動的に設定することが可能になる。そのため、ユーザが言語の選択をすること無しに、ユーザに応じた言語に簡単に切り替えることが可能になる。
【００１０】
前記言語設定部は、前記画像プリント装置で表示する画面で使用される言語を、前記言語情報に応じて設定することが望ましい。
画像プリント装置で表示する各種画面で使用される言語をユーザに応じた言語とすることで、様々な言語を用いるユーザが円滑に画像のプリントを行えるようになる。
【００１１】
前記画像プリント装置は、前記サーバから受信する画像に対応する注文識別情報を含むコードを前記ユーザ端末から読取って前記注文識別情報を取得する注文識別情報取得部と、ユーザを撮影する撮影部と、を更に有し、前記プリント部は、ユーザを撮影した画像のプリントを更に行い、前記画像プリント装置は、前記ユーザ端末からの前記コードの読取に応じて、前記サーバから前記注文識別情報に対応する画像を受信してプリントすることが望ましい。
この場合、写真撮影サービスや画像プリントサービスの選択を行わずともコードの読取により自動的に後者のサービスに移行し、画像をサーバから受信してプリントできるのでユーザの操作は簡単になる。しかしユーザに応じた言語の設定までも行えないと初期設定の言語のまま処理が進行してしまい、当該言語を用いないユーザにとっては不便な状況になる。そのため、本発明のように自動的に言語設定を行うことが特に有効となる。
【００１２】
例えば前記コードには前記言語情報が含まれ、前記言語情報取得部は、前記コードを前記ユーザ端末から読取って前記言語情報を取得することが望ましい。あるいは、前記言語情報取得部は、前記サーバから前記注文識別情報に対応する画像を受信する際に、前記注文識別情報に対応する前記言語情報を前記サーバから受信して取得することも望ましい。
これらの方法により、コードの読取により自動的に言語の設定も行えるため、ユーザの操作はさらに簡単になる。
【００１３】
第２の発明は、第１の発明の画像プリント装置と、前記サーバと、前記ユーザ端末と、を有し、前記ユーザ端末は前記サーバに画像を送信することを特徴とする画像プリントシステムである。
【発明の効果】
【００１４】
本発明により、ユーザに応じた言語に簡単に切り替えることのできる画像プリント装置等を提供することが可能となる。
【図面の簡単な説明】
【００１５】
【図１】画像プリントシステム１を示す図。
【図２】画像プリント装置２の外観を示す図。
【図３】画像プリント装置２のシステム構成を示す図。
【図４】制御装置２０のハードウェア構成を示す図。
【図５】読取部２７を示す図。
【図６】サーバ３のハードウェア構成を示す図。
【図７】ユーザ端末５のハードウェア構成を示す図。
【図８】画像プリント装置２の機能構成を示す図。
【図９】画像プリント方法の手順を示すフローチャート。
【図１０】画像プリント方法の手順を示すフローチャート。
【図１１】注文データ３２１の例。
【図１２】ユーザ端末５に表示される画面の例。
【図１３】OSで使用される言語、画像プリント装置２で使用可能な言語、およびアプリケーションで使用される言語の関係を示す図。
【図１４】画像プリント装置２に表示される画面の例。
【図１５】ユーザ端末５に表示される画面の例。
【発明を実施するための形態】
【００１６】
以下、図面に基づいて本発明の好適な実施形態について詳細に説明する。
【００１７】
（１．画像プリントシステム１）
図１は本発明の実施形態に係る画像プリントシステム１を示す図である。図１に示すように、本実施形態の画像プリントシステム１は、画像プリント装置２（写真撮影装置）、サーバ３、及びユーザ端末５がネットワーク６を介して通信可能に接続された構成を有する。
【００１８】
画像プリント装置２はユーザが自身の撮影を行う写真撮影装置としての機能も有し、例えば街頭に設置された証明写真の撮影ボックスである。画像プリント装置２はユーザを撮影してその画像を証明写真などとしてプリントする（写真撮影サービス）のに加え、ユーザ端末５からサーバ３に送信されたユーザの画像のプリントも行う（画像プリントサービス）。
【００１９】
図２は画像プリント装置２の外観を示す図であり、図３は画像プリント装置２のシステム構成を示す図である。
【００２０】
画像プリント装置２はユーザが中に入って撮影を行うボックス状の外観を有し、制御装置２０、表示部２１、課金部２２、撮影部２３、照明２４、プリンタ２５、プリント物取出口２６、読取部２７、カーテン２８、センサ２９、音声出力部３０等を有する。
【００２１】
制御装置２０は画像プリント装置２の内部に設けられ、画像プリント装置２の処理全体を制御する。
【００２２】
図４は制御装置２０のハードウェア構成を示す図である。図４に示すように、制御装置２０は、例えば制御部２０１、記憶部２０２、入力部２０３、通信部２０４等をバス等により接続して構成したコンピュータにより実現できる。但しこれに限ることなく、適宜様々な構成をとることができる。
【００２３】
制御部２０１はCPU、ROM、RAMなどから構成される。CPUは、記憶部２０２、ROMなどの記憶媒体に格納された制御装置２０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部２０２、ROMなどからロードしたプログラムやデータを一時的に保持するとともに、制御部２０１が各種処理を行うために使用するワークエリアを備える。
【００２４】
記憶部２０２はハードディスクドライブやソリッドステートドライブ、フラッシュメモリ等であり、後述する処理に際し制御装置２０が実行するプログラム、プログラム実行に必要なデータ、OS（オペレーションシステム）等が格納される。これらのプログラムやデータは、制御部２０１により必要に応じて読み出され実行される。
【００２５】
入力部２０３は制御装置２０に各種の設定入力を行うものである。
通信部２０４はネットワーク６等を介した通信を媒介する通信インタフェースであり、サーバ３等との間で通信を行う。
【００２６】
図２、３の説明に戻る。表示部２１は、画像プリント装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００２７】
課金部２２は、硬貨や紙幣の投入口、つり銭返却口、レシート取出口、レシートプリンタ等（不図示）を備え、ユーザからの課金やレシートの発行を管理する。
【００２８】
撮影部２３は、撮影窓の内側にカメラ等を設けたものである。カメラには例えば高解像度のデジタルカメラが用いられるが、これに限ることはない。
【００２９】
照明２４は、画像プリント装置２のボックス内の全体を照らす照明である。照明２４は例えば白色の光を照射する面光源であり、撮影部２３の上部に設けられるが、これに限ることはない。なお、画像プリント装置２のボックス内には撮影時のフラッシュ用にストロボ光源も設けられる。
【００３０】
プリンタ２５は、画像を用紙にプリントするものであり、画像プリント装置２の内部に設けられる。画像をプリントしたプリント物はプリント物取出口２６に排出される。プリンタ２５の方式や設置台数等は特に問わない。
【００３１】
読取部２７は、ユーザ端末５の表示部に表示される二次元コードを光学的に読取るものである。二次元コードについては後述する。読取部２７では、図５（ａ）に示すようにカバー内にイメージスキャナ２７０が備えられる。イメージスキャナ２７０には二次元コードの読取用の照明２７１も設けられる。
【００３２】
カーテン２８は、画像プリント装置２のボックス内を外部から遮るものである。
【００３３】
センサ２９は、画像プリント装置２のボックス内に入ったユーザを検知するセンサである。センサ２９は例えば赤外線センサであるが、これに限ることはない。
【００３４】
音声出力部３０は、ユーザの操作・選択の各段階でガイド用の音声を出力したり、報知音等を鳴動したりするための音声処理装置やスピーカ等である。
【００３５】
図１の説明に戻る。サーバ３は、画像プリント装置２でプリントする画像を管理するサーバである。
【００３６】
図６は、サーバ３のハードウェア構成を示す図である。図６に示すように、サーバ３は、例えば制御部３１、記憶部３２、表示部３３、入力部３４、及び通信部３５等をバス等により接続して構成したコンピュータにより実現できる。但し、これに限ることなく、適宜様々な構成をとることができる。
【００３７】
制御部３１、記憶部３２、入力部３４、通信部３５の機能は上述した制御部２０１、記憶部２０２、入力部２０３、通信部２０４と略同様である。また表示部３３は液晶パネル等のディスプレイ装置を有する。
【００３８】
なお、記憶部３２には後述する処理をサーバ３に実行させるためのプログラムが格納される。また入力部３４はキーボード、マウス等のポインティングデバイス、テンキー等の入力装置を有する。
【００３９】
図１の説明に戻る。ユーザ端末５はユーザが所持するコンピュータ端末であり、例えばスマートフォン等の携帯端末を用いることができる。
【００４０】
図７はユーザ端末５のハードウェア構成を示す図である。図７に示すように、ユーザ端末５は制御部５１、記憶部５２、表示部５３、入力部５４、通信部５５、カメラ５６、音声入出力部５７等をバス等により接続して構成される。但し、これに限ることなく、適宜様々な構成をとることができる。
【００４１】
制御部５１、記憶部５２、入力部５４、通信部５５の機能は上述した制御部２０１、記憶部２０２、入力部２０３、通信部２０４と略同様である。また表示部５３は液晶パネル等のディスプレイ装置を有し、入力部５４としてのタッチパネルが設けられている。音声入出力部５７はマイクやスピーカ等である。
【００４２】
なお、記憶部５２にはユーザ端末５の後述する処理を実行するための専用のアプリケーションプログラムが格納されており、当該プログラムにより後述する処理をユーザ端末５によって実行させる。
【００４３】
図８は画像プリント装置２の機能構成を示す図である。図８に示すように、画像プリント装置２は、撮影部１０１、受信部１０２、プリント部１０３、注文識別情報取得部１０４、言語情報取得部１０５、言語設定部１０６等を有する。
【００４４】
撮影部１０１は前記の撮影部２３に対応し、カメラによってボックス内のユーザを撮影して画像を得るものである。
【００４５】
受信部１０２は、ユーザ端末５からサーバ３に送信（アップロード）された画像をサーバ３から受信（ダウンロード）するものである。
【００４６】
プリント部１０３は前記のプリンタ２５に対応する。プリント部１０３は、写真撮影サービスにおいてはユーザを撮影した画像をプリントし、画像プリントサービスにおいてはユーザ端末５からサーバ３に送信された画像をサーバ３から受信してプリントする。
【００４７】
注文識別情報取得部１０４と言語情報取得部１０５は、サーバ３から受信する画像に対応する注文ID（注文識別情報）とユーザが用いる言語を示す言語情報とを含む二次元コードをユーザ端末５から読取ることで、注文IDと言語情報をそれぞれ取得するものである。注文IDと言語情報については後述する。なお、二次元コードの代わりにその他のコードを用いてもよく、例えばバーコードなどを使用することも可能である。
【００４８】
言語設定部１０６は、言語情報取得部１０５により取得した言語情報に応じて画像プリント装置２で使用する言語を設定するものである。特に本実施形態では、画像プリント装置２で表示する画面で使用される言語を、上記取得した言語情報に応じて設定するものとする。
【００４９】
（２．画像プリント方法）
次に、本実施形態の画像プリント方法について説明する。図９、図１０は画像プリント方法の手順を示すフローチャートである。図９のＳ１０１、Ｓ１０５〜１０６、図１０のＳ２０３〜２０４の処理はユーザ端末５の制御部５１が実行し、図９のＳ１０２〜１０４、図１０のＳ２０９〜２１０の処理はサーバ３の制御部３１が実行する。また図１０のＳ２０１〜２０２、Ｓ２０５〜２０８、Ｓ２１１〜２１３の処理は画像プリント装置２の制御装置２０が実行する。
【００５０】
本実施形態では、まずユーザが自身のユーザ端末５で前記のアプリケーションプログラム（以下、アプリケーションという）を立ち上げ、プリントする画像の選択、および画像のプリント注文に係る操作を実行する。
【００５１】
例えばユーザは、表示部５３に表示される画像選択画面（不図示）上で記憶部５２に格納された画像の中からプリントする画像を１または複数枚選択し、必要に応じて画像の編集を行う。画像の編集は、例えば画像のサイズ、明るさ、色の調整、画像への所定の絵柄の付加、画像への描画、複数の画像のレイアウト配置等であるが、これに限ることはない。
【００５２】
また、ユーザは画像のプリント枚数やプリントサイズなどのプリント注文に関する情報（以下、注文情報という）の設定も画像ごとに行い、サーバ３への画像の送信指示を行う。
【００５３】
すると、ユーザ端末５は、選択された画像とその注文情報、およびユーザが用いる言語を示す言語情報（以下、画像等という）をサーバ３へ送信する（図９のＳ１０１）。
【００５４】
言語情報はユーザが用いる言語を示すものであり、例えばユーザ端末５のOSで設定、使用されている言語を示す情報や、前記のアプリケーションで設定、使用されている言語を示す情報である。本実施形態ではこれらの言語情報の双方をユーザ端末５が自動的に取得してサーバ３に送信するが、どちらか一方をサーバ３に送信してもよい。その他、ユーザ端末５上でユーザによる言語の選択を可能にし、選択された言語を言語情報としてサーバ３に送信することも可能である。
【００５５】
サーバ３は、ユーザ端末５から画像等を受信する（Ｓ１０２）と、画像に対応する注文IDを作成する。注文IDはプリントする画像やその注文情報を識別する注文識別情報であり、例えば複数桁の文字情報からなる。注文IDは画像ごとに作成し、図１１に示すように画像等（画像とその注文情報、および言語情報）と紐付けて注文データ３２１として記憶部３２に記録する（Ｓ１０３）。
【００５６】
またサーバ３は、画像ごとに注文IDと言語情報をコード化して二次元コードを作成し、ユーザ端末５に送信する（Ｓ１０４）。ユーザは、ユーザ端末５にて二次元コードを受信する（Ｓ１０５）。
【００５７】
ユーザ端末５は、受信した二次元コードを、対応する画像と紐づけて記憶部５２に記録する（Ｓ１０６）。
【００５８】
前記のＳ１０１でサーバ３に送信した画像をプリントするユーザは、街頭の画像プリント装置２に向かい、画像プリント装置２のボックス内に入る。画像プリント装置２は、センサ２９によってユーザを検知すると（図１０のＳ２０１）、ボックス内を照らす照明２４を点灯するとともに、読取部２７のイメージスキャナ２７０を起動して二次元コードの読取用の照明２７１を点灯させる（Ｓ２０２）。
【００５９】
なお、画像プリント装置２はユーザの検知に伴い表示部２１にトップ画面（不図示）を表示させる。このトップ画面では、写真撮影サービスや画像プリントサービスへの移行を選択するためのボタン、使用する言語を選択するためのボタンなどが表示される。ただし、本実施形態ではこのトップ画面での操作を経ずに、前記の二次元コードを読取部２７で読取らせることで画像プリントサービスに直接移行し、トップ画面での選択操作を省略できるものとする。
【００６０】
なおトップ画面で写真撮影サービスへの移行を選択した場合は、撮影部２３でユーザを撮影した画像を証明写真としてプリンタ２５によってプリントする。この処理は証明写真の撮影サービスとして通常知られている処理であるので、説明を省略する。一方、トップ画面で画像プリントサービスへの移行を選択した場合、前記の二次元コードを読取部２７で読取らせることを促すメッセージを表示部２１に表示するなどしたうえで、後述するＳ２０５以下と同様の処理を行う。
【００６１】
ユーザは、読取部２７で二次元コードを読取らせるために、まずユーザ端末５で前記のアプリケーションを立ち上げてユーザ端末５の操作により表示部５３に二次元コードを表示させる。図１２（ａ）、（ｂ）は、この際の表示画面の例である。
【００６２】
本実施形態では、まずプリントする画像の選択を行うための選択画面が図１２（ａ）に示すように表示される。この選択画面では、プリントする画像の選択を促すメッセージ５３１、Ｓ１０１でサーバ３に送信した画像のサムネイル画像５３２、送りボタン５３３、プリントボタン５３４等が表示される。このうち上記のメッセージ５３１は、例えば“Touch the image what you want to print”（プリントする画像にタッチしてください）のように、アプリケーションで設定、使用されている言語（本実施形態では英語とする）により表示される。
【００６３】
ユーザが送りボタン５３３をタッチすることで、Ｓ１０１でサーバ３に送信した画像のサムネイル画像５３２が順次表示される。ユーザは所望のサムネイル画像５３２を画面に表示させ、プリントボタン５３４をタッチすることで、当該サムネイル画像５３２に対応する画像をプリントする画像として選択する。ユーザ端末５はこの画像選択を受付ける（Ｓ２０３）と、選択された画像に対応する二次元コードを図１２（ｂ）に示すように表示部５３に表示する（Ｓ２０４）。
【００６４】
図１２（ｂ）の表示画面では、二次元コード５３５、および二次元コード５３５を読取部２７にかざすことを促すメッセージ５３６が表示される。メッセージ５３６は、前記と同様、例えば“Please hold the 2D code over the reading unit”（二次元コードを読取部にかざしてください）のように、アプリケーションで設定、使用されている言語により表示される。
【００６５】
なお、図１２（ａ）、（ｂ）の画面は一例であり、これに限定されない。例えば図１２（ａ）の選択画面では、Ｓ１０１でサーバ３に送信した画像のサムネイル画像５３２が複数並べて一覧表示されていてもよい。
【００６６】
ユーザは、表示部５３に表示した二次元コード５３５を図５（ｂ）に示すように読取部２７にかざす。画像プリント装置２は、読取部２７による二次元コード５３５の読取（Ｓ２０５）に応じて画像プリントサービスに移行すると判定し、以下の処理を行う。
【００６７】
すなわち、画像プリント装置２はまずＳ２０５で読み取った二次元コードを復号して注文IDと言語情報を取得する（Ｓ２０６）。
【００６８】
そして、画像プリント装置２は、取得した言語情報に応じて、画像プリント装置２で使用する言語を設定する（Ｓ２０７）。本実施形態ではこの言語情報にユーザ端末５のOSの言語情報とアプリケーションの言語情報が含まれるが、両言語情報が同じであれば、以降の画面表示をその言語で行うよう設定する。
【００６９】
一方、ユーザ端末５のOSとアプリケーションの言語情報が異なる場合は、例えばOSの言語情報を優先し、当該言語情報が画像プリント装置２で使用できない言語である場合に、アプリケーションの言語情報にてＳ２０７の言語設定を行う。
【００７０】
これは、図１３に示すように、OSで使用される言語はバリエーション（言語数）が多いためユーザが普段用いる言語に一致すると推測されるが、画像プリント装置２で使用可能な言語は限られること、また通常、画像プリント装置２で使用できない言語でアプリケーションの開発を行うことはなく、アプリケーションで使用される言語は画像プリント装置２で使用可能な言語に包含されるためである。
【００７１】
画像プリント装置２は、こうして画像プリント装置２で使用する言語を設定する（本実施形態では英語に設定されるものとする）とともに、Ｓ２０６で取得した注文IDをサーバ３に送信する（Ｓ２０８）。
【００７２】
サーバ３は、注文IDを受信する（Ｓ２０９）と、注文IDに対応する画像とその注文情報を画像プリント装置２に送信する（Ｓ２１０）。
【００７３】
画像プリント装置２は、画像と注文情報を受信すると（Ｓ２１１）、画像、および注文情報に応じたプリント料金等を表示部２１に表示させ、ユーザによる画像の確認とプリント料金の課金を促す。
【００７４】
図１４（ａ）はこの際の表示画面の例であり、プリントする画像２１１、プリント料金や現在の入金額等の課金情報２１２、画像の確認とプリント料金の課金を促すメッセージ２１３等が表示される。メッセージ２１３は、例えば“Please confirm the image and pay for printing”（画像を確認してプリント料金をお支払いください）のように、Ｓ２０７で設定された言語で表示される。課金情報２１２の言語についても同様である。
【００７５】
ユーザは画面に表示された画像２１１を確認し、課金部２２にてプリント料金を課金する。画像プリント装置２は、課金を受付けると（Ｓ２１２）、画像２１１のプリントをプリンタ２５にて行う（Ｓ２１３）。
【００７６】
画像２１１のプリント中、画像プリント装置２は図１４（ｂ）に示すような待機画面を表示部２１に表示する。待機画面ではＳ２０７で設定された言語が使用され、本実施形態では“Now printing”のように現在プリント中であることを示すメッセージ２１４が表示される。プリントを終えると画像プリント装置２は図１４（ｃ）に示すようにお礼のメッセージ２１５（図の例では“Thank you”）をＳ２０７で設定された言語で表示部２１に表示させる。
【００７７】
画像２１１のプリントが終了すると、画像プリント装置２は、画像２１１のプリントを行った旨の情報を注文IDとともにサーバ３に送信する。サーバ３は受信した注文IDに対応する注文データ３２１を記憶部３２から削除する。
【００７８】
以上説明したように、本実施形態の画像プリント装置２は、ユーザ端末５からサーバ３に送信されたユーザの画像を受信してプリントするにあたり、ユーザの用いる言語を示す言語情報をユーザ端末５から取得することで、ユーザに応じた言語を自動的に設定することが可能になる。そのため、ユーザが言語の選択をすること無しに、ユーザに応じた言語に簡単に切り替えることが可能になる。
【００７９】
また本実施形態では画像プリント装置２で表示する各種画面で使用される言語をユーザに応じた言語とすることで、様々な言語を用いるユーザが円滑に画像のプリントを行えるようになる。
【００８０】
また本実施形態では二次元コードの読取により自動的に画像プリントサービスへと移行するので、写真撮影サービスや画像プリントサービスの選択を行う必要が無くユーザの操作は簡単になる。しかしユーザに応じた言語の設定までも行えないと初期設定の言語（例えば日本語）のまま処理が進行して各種の画面に遷移してしまい、当該言語を用いないユーザにとっては不便な状況になる。そのため、本実施形態のように自動的に言語設定を行うことが特に有効となる。二次元コードに言語情報を含めておけば、二次元コードの読取により自動的に言語の設定も行えるため、ユーザの操作はさらに簡単になる。
【００８１】
しかしながら、本発明はこれに限らない。例えば本実施形態では言語情報と注文IDをコード化して二次元コードを作成しているが、例えば二次元コードは注文IDのみをコード化したものとし、言語情報についてはＳ２０５で二次元コードを読取って取得した注文IDに対応するものをＳ２１０において画像や注文情報とともにサーバ３から画像プリント装置２に送信してもよい。
【００８２】
画像プリント装置２はＳ２１１において画像や注文情報をサーバ３から受信するとともに当該言語情報もサーバ３から受信して取得し、その言語情報に応じた言語の設定を行うことができる。これによっても、ユーザによる言語の選択を行うことなく二次元コードの読取により自動的に言語設定を行うことが可能になる。
【００８３】
あるいは、上記と同じく二次元コードは注文IDのみをコード化したものとし、言語情報はＳ２０４において二次元コードをユーザ端末５に表示する際にユーザ端末５が自動的に取得して二次元コードとは別に表示させることもできる。この場合、前記のＳ１０１で言語情報をサーバ３に送信する必要は無くなる。
【００８４】
図１５はこの場合の表示部５３での表示の例であり、二次元コード５３５と併せて言語情報５３７（図の例では“English”）が表示され、読取部２７によって二次元コード５３５と言語情報５３７を読取ることができる。あるいは表示部５３で表示されるメッセージ５３６を読取ってアプリケーションで使用されている言語を判別し言語情報を取得することも可能である。なおこれらの場合、言語情報５３７やメッセージ５３６のOCR処理が必要になる。
【００８５】
また本実施形態では証明写真の撮影ボックスで画像をプリントする例を説明したが、これに限ることはなく、コンビニエンスストアや家電量販店その他の店舗等に設置された写真撮影機能を持たない画像プリント装置であっても、サーバ３と通信可能に接続されていれば本実施形態の手法は前記と同様に適用可能である。
【００８６】
また本実施形態では画像プリント装置２の表示画面で使用する言語を画像プリント装置２が取得した言語に設定しているが、その代わりに、あるいはこれと併せて、画像プリント装置２の音声出力部３０で発するガイド用の音声に使用する言語を画像プリント装置２が取得した言語に設定してもよい。
【００８７】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８８】
１：画像プリントシステム
２：画像プリント装置
３：サーバ
５：ユーザ端末
２０：制御装置
２１：表示部
２２：課金部
２３、１０１：撮影部
２４：照明
２５：プリンタ
２６：プリント物取出口
２７：読取部
２８：カーテン
２９：センサ
３０：音声出力部
１０２：受信部
１０３：プリント部
１０４：注文識別情報取得部
１０５：言語情報取得部
１０６：言語設定部
【図１】
2019184970.tif 000003
【図２】
2019184970.tif 000004
【図３】
2019184970.tif 000005
【図４】
2019184970.tif 000006
【図５】
2019184970.tif 000007
【図６】
2019184970.tif 000008
【図７】
2019184970.tif 000009
【図８】
2019184970.tif 000010
【図９】
2019184970.tif 000011
【図１０】
2019184970.tif 000012
【図１１】
2019184970.tif 000013
【図１２】
2019184970.tif 000014
【図１３】
2019184970.tif 000015
【図１４】
2019184970.tif 000016
【図１５】
2019184970.tif 000017